(57)【要約】【課題】  記録が必要な放送番組を適切に選択できるようにして、放送番組の無駄な記録を防止できるようにすること。【解決手段】  放送記録装置１００の制御部１０６は、放送受信部１０１を介して受信した放送番組を記憶部１０５に記録するに先立ち、ネットワーク通信部１０２を制御して電子メールにより、携帯通信端末２００に前記放送番組の記録予定情報を送信し、携帯通信端末２００から放送番組記録中止の通知を受信した場合、記憶部１０５に対する当該放送番組の記録を中止する。【選択図】  図１
2007259167.tif 000002
【特許請求の範囲】
【請求項１】
携帯通信端末と、前記携帯通信端末と情報送受を行う通信手段、放送信号を受信する放送受信手段、前記放送受信手段により受信された放送番組を記録する記憶手段及び制御手段を有し、前記記憶手段に放送番組を記録する放送記録装置とを備えた放送記録システムであって、
前記放送記録装置の制御手段は、前記記憶手段への放送番組の記録に先立ち、前記通信手段を介して前記携帯通信端末に前記放送番組の記録予定情報を送信するよう前記通信手段を制御することを特徴とする放送記録システム。
【請求項２】
前記放送記録装置の制御手段は、予め設定された選択情報に基づく放送番組の記録に先立ち、前記通信手段を介して前記携帯通信端末に前記記録予定情報を送信するように前記通信手段を制御することを特徴とする請求項１記載の放送記録システム。
【請求項３】
前記放送記録装置の制御手段は、前記記録予定情報を電子メールにより前記携帯通信端末に送信するように前記通信手段を制御することを特徴とする請求項２記載の放送記録システム。
【請求項４】
前記携帯通信端末は、受信した電子メールを表示出力する出力手段と、操作手段と、前記操作手段から入力された放送番組記録中止の通知を送信する通信手段を有し、
前記放送記録装置の制御手段は、前記携帯通信端末から放送番組記録中止の通知を受信した場合、前記記憶手段に対する当該放送番組の記録を中止することを特徴とする請求項１乃至３のいずれか一に記載の放送記録システム。
【請求項５】
前記携帯通信端末は、放送信号を受信する放送受信手段を有すると共に前記出力手段は前記受信した放送番組を表示出力する機能を有して成り、
前記放送記録装置から前記記録予定情報を受信し、かつ当該記録予定情報に対応する放送番組を受信して前記出力手段に出力しているときは、前記放送記録装置に記録中である旨の出力を併せて前記出力手段に出力することを特徴とする請求項１乃至４のいずれか一に記載の放送記録システム。
【請求項６】
更に、前記携帯通信端末は、前記放送記録装置から前記記録予定情報を受信したときに、当該記録予定情報に記載された、又は予め設定されたＵＲＬに接続して、放送番組情報を取得することを特徴とする請求項１乃至５のいずれか一に記載の放送記録システム。
【請求項７】
外部と情報送受を行う通信手段、放送信号を受信する放送受信手段、前記放送受信手段により受信された放送番組を記録する記憶手段及び制御手段を有し、受信した放送番組を前記記憶手段に記録する放送記録装置であって、
前記制御手段は、前記記憶手段への放送番組の記録に先立ち、前記通信手段を介して外部に前記放送番組の記録予定情報を送信するよう前記通信手段を制御することを特徴とする放送記録装置。
【請求項８】
前記制御手段は、予め設定された選択情報に基づく放送番組の記録に先立ち、前記通信手段を介して外部に前記記録予定情報を送信するように前記通信手段を制御することを特徴とする請求項７記載の放送記録装置。
【請求項９】
前記制御手段は、前記記録予定情報を電子メールにより外部に送信するように前記通信手段を制御することを特徴とする請求項８記載の放送記録装置。
【請求項１０】
前記制御手段は、外部から放送番組記録中止の通知を受信した場合、前記記憶手段に対する当該放送番組の記録を中止するよう前記記憶手段を制御することを特徴とする請求項７乃至９のいずれか一に記載の放送記録装置。
【請求項１１】
外部から記録予定情報を電子メールにより受信する受信手段と、前記受信手段によって受信した電子メールを表示出力する出力手段と、操作手段と、前記操作手段から入力された放送番組記録中止の通知を外部に送信する通信手段とを備えて成ることを特徴とする携帯通信端末。
【請求項１２】
放送信号を受信する放送受信手段を有すると共に、前記出力手段は受信した放送番組を表示出力する機能を有して成り、外部から前記記録予定情報を受信し、かつ当該記録予定情報に対応する放送番組を受信して前記出力手段に出力しているときは、放送記録装置に記録中である旨の出力を併せて前記出力手段に出力することを特徴とする請求項１１記載の携帯通信端末。
【請求項１３】
更に、外部から前記記録予定情報を受信したときに、当該記録予定情報に記載された、又は予め設定されたＵＲＬに接続して、放送番組情報を取得することを特徴とする請求項１１又は１２記載の携帯通信端末。
【請求項１４】
コンピュータを、
記憶手段への放送番組の記録に先立ち、通信手段を介して外部に放送番組の記録予定情報を送信するよう前記通信手段を制御する制御手段として機能させることを特徴とするプログラム。
【請求項１５】
コンピュータを、
前記制御手段を、予め設定された選択情報に基づく放送番組の記録に先立ち、前記通信手段を介して外部に前記記録予定情報を送信するよう前記通信手段を制御するように機能させることを特徴とする請求項１４記載のプログラム。
【請求項１６】
前記制御手段を、前記記録予定情報を電子メールにより外部に送信するよう前記通信手段を制御するように機能させることを特徴とする請求項１５記載のプログラム。
【請求項１７】
前記制御手段を、外部から放送番組記録中止の通知を受信した場合、前記記憶手段に対する当該放送番組の記録を中止するよう前記記憶手段を制御するように機能させることを特徴とする請求項４乃至１６のいずれか一に記載のプログラム。
【請求項１８】
コンピュータを、
外部から記録予定情報を受信手段が電子メールにより受信し、前記受信した電子メールを出力手段が表示出力し、操作手段が入力した放送番組記録中止の通知を通信手段が外部に送信するように制御する制御手段として機能させることを特徴とするプログラム。
【請求項１９】
前記制御手段を、外部から前記記録予定情報を受信し、かつ当該記録予定情報に対応する放送番組を受信して前記出力手段に出力しているときは、放送記録装置に記録中である旨の出力を併せて前記出力手段に出力するように機能させることを特徴とする請求項１８記載のプログラム。
【請求項２０】
前記制御手段を、更に、外部から前記記録予定情報を受信したときに、当該記録予定情報に記載された、又は予め設定されたＵＲＬに接続して、放送番組情報を取得するよう通信手段を制御するように機能させることを特徴とする請求項１８又は１９記載のプログラム。
【発明の詳細な説明】
【技術分野】
【０００１】
本発明は、放送情報を記録する情報記録システム、前記情報記録システムを構築するに好適な情報記録装置、携帯通信端末及びコンピュータ用プログラムに関する。
【背景技術】
【０００２】
従来から、放送番組をハードディスクレコーダ等の記憶装置に録画して利用する情報記録システムが開発されている（例えば、特許文献１〜４参照。）。
従来の情報記憶システムにおいて、ハードディスクレコーダのキーワード記録機能により放送番組を録画した場合、実際にどのような放送番組が録画されたかは、ハードディスクレコーダに録画された内容を確認するしか方法はなかった。
【０００３】
一方、前記特許文献１には、記録予約を設定する際若しくはそれを設定した後でも、携帯端末側で、放送時間帯の変更などによって不要な番組が記録されるのを防止できるようにして、流動的な番組編成に即座に対応できるようにした発明が開示されている。
しかしながら、前記特許文献１記載の発明では、既定の番組編成が変更されたり変更後の番組編成を知得した場合に、番組予約情報の内容を変更するように構成している。
【０００４】
したがって、既定の番組編成が変更されない等の場合には、予め予約した番組が記録されてしまうことになるため、予約後に興味が無くなった番組も記録してしまうことになるため、不要な番組が記録されてしまい、記憶装置の記憶容量を圧迫するという問題がある。また、記録対象となる放送番組が多数になった場合、自分が本当に見たいと欲する記録済み放送番組がそれ以外の記録済み放送番組に埋もれてしまい、必要な記録済み放送番組を探すのが煩雑になるという問題がある。
また、記録する予定でいた放送番組を放送時に別途視聴することになった場合には記録が不要になるが、このような場合でも、当該番組も記録されてしまうという問題がある。
【０００５】
【特許文献１】特開２００４−２１５０３１号公報
【特許文献２】特開２００５−５７５５７号公報
【特許文献３】特開２００３−１８５１７号公報
【特許文献４】特開２００３−５７５５７号公報
【特許文献５】ＷＯ０１／０１９００２号再公表特許公報
【発明の開示】
【発明が解決しようとする課題】
【０００６】
本発明は、記録が必要な放送番組を適切に選択できるようにして、放送番組の無駄な記録を防止できるようにすることを課題としている。
また本発明は、記録する予定でいた放送番組を放送時に別途視聴することになった場合に、当該番組の記録を中止できるようにすることを課題としている。
【課題を解決するための手段】
【０００７】
本発明によれば、携帯通信端末と、前記携帯通信端末と情報送受を行う通信手段、放送信号を受信する放送受信手段、前記放送受信手段により受信された放送番組を記録する記憶手段及び制御手段を有し、前記記憶手段に放送番組を記録する放送記録装置とを備えた放送記録システムであって、前記放送記録装置の制御手段は、前記記憶手段への放送番組の記録に先立ち、前記通信手段を介して前記携帯通信端末に前記放送番組の記録予定情報を送信するよう前記通信手段を制御することを特徴とする放送記録システムが提供される。
放送記録装置の制御手段は、記憶手段への放送番組の記録に先立ち、通信手段を介して携帯通信端末に前記放送番組の記録予定情報を送信するよう前記通信手段を制御する。
【０００８】
ここで、前記放送記録装置の制御手段は、予め設定された選択情報に基づく放送番組の記録に先立ち、前記通信手段を介して前記携帯通信端末に前記記録予定情報を送信するように前記通信手段を制御するように構成してもよい。
また、前記放送記録装置の制御手段は、前記記録予定情報を電子メールにより前記携帯通信端末に送信するように前記通信手段を制御するように構成してもよい。
また、前記携帯通信端末は、受信した電子メールを表示出力する出力手段と、操作手段と、前記操作手段から入力された放送番組記録中止の通知を送信する通信手段を有し、前記放送記録装置の制御手段は、前記携帯通信端末から放送番組記録中止の通知を受信した場合、前記記憶手段に対する当該放送番組の記録を中止するように構成してもよい。
【０００９】
また、前記携帯通信端末は、放送信号を受信する放送受信手段を有すると共に前記出力手段は前記受信した放送番組を表示出力する機能を有して成り、前記放送記録装置から前記記録予定情報を受信し、かつ当該記録予定情報に対応する放送番組を受信して前記出力手段に出力しているときは、前記放送記録装置に記録中である旨の出力を併せて前記出力手段に出力するように構成してもよい。
また、更に、前記携帯通信端末は、前記放送記録装置から前記記録予定情報を受信したときに、当該記録予定情報に記載された、又は予め設定されたＵＲＬに接続して、放送番組情報を取得するように構成してもよい。
【００１０】
また、本発明によれば、外部と情報送受を行う通信手段、放送信号を受信する放送受信手段、前記放送受信手段により受信された放送番組を記録する記憶手段及び制御手段を有し、受信した放送番組を前記記憶手段に記録する放送記録装置であって、前記制御手段は、前記記憶手段への放送番組の記録に先立ち、前記通信手段を介して外部に前記放送番組の記録予定情報を送信するよう前記通信手段を制御することを特徴とする放送記録装置が提供される。
制御手段は、記憶手段への放送番組の記録に先立ち、通信手段を介して外部に前記放送番組の記録予定情報を送信する。
【００１１】
ここで、前記制御手段は、予め設定された選択情報に基づく放送番組の記録に先立ち、前記通信手段を介して外部に前記記録予定情報を送信するよう前記通信手段を制御するように構成してもよい。
また、前記制御手段は、前記記録予定情報を電子メールにより外部に送信するように前記通信手段を制御するように構成してもよい。
また、前記制御手段は、外部から放送番組記録中止の通知を受信した場合、前記記憶手段に対する当該放送番組の記録を中止するよう前記記憶手段を制御するように構成してもよい。
【００１２】
また、本発明によれば、外部から記録予定情報を電子メールにより受信する受信手段と、前記受信手段によって受信した電子メールを表示出力する出力手段と、操作手段と、前記操作手段から入力された放送番組記録中止の通知を外部に送信する通信手段とを備えて成ることを特徴とする携帯通信端末が提供される。
出力手段は受信手段によって受信した電子メールを表示出力し、通信手段は操作手段から入力された放送番組記録中止の通知を外部に送信する。
【００１３】
ここで、放送信号を受信する放送受信手段を有すると共に、前記出力手段は受信した放送番組を表示出力する機能を有して成り、外部から前記記録予定情報を受信し、かつ当該記録予定情報に対応する放送番組を受信して前記出力手段に出力しているときは、放送記録装置に記録中である旨の出力を併せて前記出力手段に出力するように構成してもよい。
また、更に、外部から前記記録予定情報を受信したときに、当該記録予定情報に記載された、又は予め設定されたＵＲＬに接続して、放送番組情報を取得するように構成してもよい。
【００１４】
また、本発明によれば、コンピュータを、記憶手段への放送番組の記録に先立ち、通信手段を介して外部に放送番組の記録予定情報を送信するよう前記通信手段を制御する制御手段として機能させることを特徴とするプログラムが提供される。
コンピュータは、プログラムを実行することにより、記憶手段への放送番組の記録に先立ち、通信手段を介して外部に放送番組の記録予定情報を送信するよう前記通信手段を制御する制御手段として機能する。
【００１５】
ここで、更に前記制御手段を、予め設定された選択情報に基づく放送番組の記録に先立ち、前記通信手段を介して外部に前記記録予定情報を送信するよう前記通信手段を制御するように機能させるよう前記プログラムを構成してもよい。
また、更に前記制御手段を、前記記録予定情報を電子メールにより外部に送信するよう前記通信手段を制御するように機能させるよう前記プログラムを構成してもよい。
また、更に前記制御手段を、外部から放送番組記録中止の通知を受信した場合、前記記憶手段に対する当該放送番組の記録を中止するよう前記記憶手段を制御するように機能させるよう前記プログラムを構成してもよい。
【００１６】
また、本発明によれば、コンピュータを、外部から記録予定情報を受信手段が電子メールにより受信し、前記受信した電子メールを出力手段が表示出力し、操作手段が入力した放送番組記録中止の通知を通信手段が外部に送信するように制御する制御手段として機能させることを特徴とするプログラムが提供される。
コンピュータは、プログラムを実行することにより、外部から記録予定情報を受信手段が電子メールにより受信し、前記受信した電子メールを出力手段が表示出力し、操作手段が入力した放送番組記録中止の通知を通信手段が外部に送信するように制御する制御手段として機能する。
【００１７】
また、前記制御手段を、外部から前記記録予定情報を受信し、かつ当該記録予定情報に対応する放送番組を受信して前記出力手段に出力しているときは、放送記録装置に記録中である旨の出力を併せて前記出力手段に出力するように機能させるよう前記プログラムを構成してもよい。
また、前記制御手段を、更に、外部から前記記録予定情報を受信したときに、当該記録予定情報に記載された、又は予め設定されたＵＲＬに接続して、放送番組情報を取得するよう通信手段を制御するように機能させるよう前記プログラムを構成してもよい。
【発明の効果】
【００１８】
本発明に係る情報記録システムによれば、記録が必要な放送番組を適切に選択できるようにして、放送番組の無駄な記録を防止することが可能になる。また、視聴している放送番組が記録予定でいた放送番組であることを知らせることが可能になり、視聴の中止等を行うことが可能になる。
また、本発明によれば、前記情報記録システムの構築に適した放送記録装置、携帯通信端末及びプログラムを提供することが可能になる。
【発明を実施するための最良の形態】
【００１９】
以下、本発明の実施の形態に係る情報記録システム、情報記録装置及び携帯通信端末について説明する。
先ず、本発明の実施の形態について概略説明すると、ハードディスクレコーダ等の情報記録装置にキーワード（キーワード記録機能）にて番組記録を行う際、当該番組の情報を電子メールで送ることにより、どの番組が記録されるのかが事前に把握する。すなわち、本発明の実施の形態は、遠隔場所の情報記録装置で情報記録を行う際に、当該情報記録装置から記録予定の情報内容を利用者の携帯通信端末に通知することで、利用者による情報記録の可否判断、情報内容の把握を図るようにしている。
【００２０】
図１は、本発明の実施の形態に係る情報記録システムのブロック図である。
本発明の実施の形態に係る情報記録システムは、放送記録装置１００と、携帯通信端末２００と、番組情報管理サーバ３００と、を備えており、放送記録装置１００、携帯通信端末２００、および番組情報管理サーバ３００は、プログラム制御により動作し、インターネットなどの通信ネットワーク４００を介して相互に接続されている。
【００２１】
放送記録装置１００は、利用者宅に設置され、大容量のハードディスク装置（記憶装置）により受信した放送情報（番組）を記録可能な情報記録装置であって、図示しない放送設備（地上局、放送衛星など）から送出された放送信号を復調処理し、映像データ、音声データ、情報データ等の取得を行う放送受信部１０１と、通信ネットワーク４００との間でデータの送受信を行うネットワーク通信部１０２と、時刻、受信放送番組やチャネル、再生放送番組等に関する情報表示を行う表示部１０３と、時刻、受信条件等の各種設定や記録予約の入力を行う入力部１０４と、番組記録予約情報、放送番組情報（例えば、番組表あるいはＧコード）、放送情報（番組）等を記録する記憶部１０５と、予め設定された番組記録予約による放送情報の記録制御、放送記録装置１００の各部制御を行う制御部１０６とを備えている。
制御部１０６は、中央処理装置（ＣＰＵ）によって構成されており、前記ＣＰＵが記憶部１０５に記憶されたプログラムを実行することにより、後述するような処理を行うように構成されている。放送記録装置１００は、その一部又は全部が実質的にコンピュータによって構成されたものとなっている。
【００２２】
尚、放送記録装置１００の制御部１０６は、キーワード記録として、利用者により予め入力されたキーワード情報に基づき、放送番組情報（番組表）から対応する番組を抽出し、記録する制御するものとする。
ここで、放送受信部１０１は第１放送受信手段を構成し、ネットワーク（ＮＷ）通信部１０２はネットワーク通信手段を構成し、表示部１０３は第１出力手段を構成し、入力部１０４は第１入力手段を構成し、記憶部１０５は第１記憶手段を構成し、制御部１０６は第１制御手段を構成している。
【００２３】
携帯通信端末２００は、放送情報（番組）の受信機能、通信ネットワーク４００を介する情報（無線情報）の送受信が可能な携帯電話やＰＤＡ等の情報処理装置であって、アンテナを介して図示しない無線基地局装置との間で無線信号を送受する無線通信部２０１と、図示しない放送設備（地上局、放送衛星など）から送出された放送信号を復調処理し、映像データ、音声データ、情報データ等の取得を行う放送受信部２０２と、画像、図形、文字、記号などの各種情報の表示出力を行う表示部２０３と、テンキー、スクロールキー、決定キー等から構成され各種情報入力を行う操作部２０４と、マイクおよびスピーカへの入出力（音声処理）を行う音声処理部２０５と、楽音、音声、報知音などの鳴音出力を行うスピーカ２０６と、端末の各種設定、通信情報（電話帳、送受信メール、発着呼等の情報）、コンテンツ情報等を記録するメモリ２０７と、通信機能（電話、データ通信）や放送受信機能、および携帯通信端末２００の各部の制御を行う制御部２０８とを備えている。
【００２４】
制御部２０８は、中央処理装置（ＣＰＵ）によって構成されており、前記ＣＰＵがメモリ２０７に記憶されたプログラムを実行することにより、後述するような処理を行うように構成されている。携帯通信端末２００は、その一部が実質的にコンピュータによって構成されたものとなっている。
ここで、無線通信部２０１は第２通信手段を構成し、放送受信部２０２は第２放送受信手段を構成し、表示部２０３は第２出力手段を構成し、操作部２０４は第２入力手段を構成し、音声処理部２０５は音声入出力手段を構成し、スピーカ２０６は音声出力手段を構成し、メモリ２０７は第２記憶手段を構成し、制御部２０８は第２制御手段を構成している。
【００２５】
番組情報管理サーバ３００は、通信ネットワーク４００を介する情報送受が可能なワークステーションやサーバ等の情報処理装置であって、放送記録装置１００や携帯通信端末２００からのアクセスに対し、データベース（ＤＢ）に記録する放送番組情報（電子番組表）の送信を行う。
図２は、本発明の実施の形態に係る放送記録装置１００の処理を示すフローチャートである。
【００２６】
図２において、放送記録装置１００の制御部１０６は、入力部１０４を介する利用者によるキーワード記録設定（番組予約）がなされると、予め放送信号の取得により得られた、或いは、通信ネットワーク４００を介して番組情報管理サーバ３００から取得した放送番組情報（例えば、番組表あるいはＧコード）から関連する番組を抽出し、当該番組の記録設定（予約）を行う（ステップＳ１０１）。なお、放送番組の記録予約は、入力部１０４を介する利用者による録画する番組の直接指定によっても行うことができる。
【００２７】
次に、放送記録装置１００の制御部１０６は、記録設定（予約情報）と現在時刻との比較により、設定時刻の所定時間前（例えば、記録開始３０分前）になったと判断すると（ステップＳ１０２）、当該記録設定（予約情報）を読出し、設定された予約がキーワード記録設定によるものである場合には（ステップＳ１０３）、予め記憶部１０５に登録された利用者ＩＤ情報（通知先を特定する情報であり、例えば、携帯通信端末２００の電子メールアドレスや電話番号を特定できる情報）を抽出して（ステップＳ１０４）、当該利用者ＩＤ情報を有する通知先（本実施の形態では携帯通信端末２００）に対して、記録予定情報（［記録予定；○月×日  △時◇分〜▽時□分  Ａチャネル］）を含む電子メールを自動作成してメール送信する（ステップＳ１０５）。
【００２８】
更に、放送記録装置１００の制御部１０６は、記録開始時刻までに、携帯通信端末２００からの前述の記録予定情報に対する返信メール（放送番組の記録を中止する旨の通知）を受信した場合には、番組の記録を中止する（ステップＳ１０６、Ｓ１０７、Ｓ１０９）。その一方、制御部１０６は、番組記録を中止する旨の通知を受信することなく、記録開始時刻が到来した場合には、記憶部１０５に対して放送番組の記録を行う（ステップＳ１０８）。
【００２９】
図３は、本発明の実施の形態に係る携帯通信端末２００の処理を示すフローチャートである。
図３において、携帯通信端末２００の制御部２０８は、放送記録装置１００から記録予定情報（［記録予定；○月×日  △時◇分〜▽時□分  Ａチャネル］）をメール受信すると（ステップＳ２０１）、メモリ２０７に放送番組情報（番組表）が記録されているか否かを判定し（ステップＳ２０２）、放送番組情報（番組表）が記録されていない場合や記録されている放送番組情報（番組表）が所定時間以上前に取得された情報であると判断した場合には、通信ネットワーク４００を介して番組情報管理サーバ３００から放送番組情報（番組表）を取得し（ステップＳ２０３）、放送番組情報（番組表）を参照して記録予定の番組名、内容等の情報を表示部２０３より出力する（ステップＳ２０４）。
【００３０】
制御部２０８は、利用者による操作部２０４を介する記録停止指示の通知（即ち、記録予定情報メールの返信）が所定時間内になされないと判断した場合は（ステップＳ２０５）、メモリ２０７に記録する放送番組情報（番組表）に放送記録装置１００で記録する旨の指定が追加され（ステップＳ２０６）、当該携帯通信端末２００の放送受信部２０２を介する番組受信（出力）時に、当該放送を放送記録装置１００で記録（即ち録画）している旨を表示出力する（ステップＳ２０７〜Ｓ２１０）。
【００３１】
即ち、制御部１０８は、ステップＳ２０６の後に、放送受信部２０２を介して放送番組を受信すると、使用者が番組を見るために当該番組を表示部２０３に表示出力し（ステップＳ２０７）、メモリ２０７に記憶している放送番組情報を参照して（ステップＳ２０８）、表示部２０２に表示中の放送番組が放送記録装置１００に記録中であると判断した場合（ステップＳ２０９）、放送番組とともに当該放送を放送記録装置１００で記録している旨を表示部１００２０３に表示出力する（ステップＳ２１０）。これにより、携帯通信端末２００の使用者は、視聴中の放送番組が放送記録装置１００に記録中であることを知ることができ、携帯通信端末２００によって視聴する番組を他のチャネルに切り換えるなどすることができる。
【００３２】
以上述べたように、本実施の形態によれば、放送記録装置１００の制御部１０６は、放送受信部１０１を介して受信した放送番組を記憶部１０５に記録するに先立ち、ネットワーク通信部１０２を制御して電子メールにより、携帯通信端末２００に前記放送番組の記録予定情報を送信し、携帯通信端末２００から放送番組記録中止の通知を受信した場合、記憶部１０５に対する当該放送番組の記録を中止するようにしているので、記録が必要な放送番組を適切に選択でき、放送番組の無駄な記録を防止することが可能になる。
また、記録する予定でいた放送番組を放送時に別途視聴することになった場合に、視聴中の放送番組が記録中である旨通知されるので、当該番組の視聴を中止する等が可能になる。
【００３３】
即ち、記録されたプログラムの把握や整理がリアルタイムでできるため、無駄な放送番組記録を防止して、放送記録装置１００の記憶部１０５の有効活用が可能となる。また、携帯通信端末２００で放送記録装置１００で記録中の番組を視聴する際は、その旨の表示がなされるので、例えば、視聴中のチャネルを他のチャネルに切り換える、視聴を中止する、別に記録されているので視聴に集中する必要がないなど、利用者の時間活用をより効率化することが可能になる。
【００３４】
また、本実施の形態によれば、前記情報記録システムの構築に適した放送記録装置１００、携帯通信端末２００を提供することが可能になる。また、コンピュータに実行させることによって放送記録装置１００や携帯通信端末２００の一部又は全部の機能を実現するプログラムを提供することが可能になる。
尚、前記実施の形態では、携帯通信端末２００は、視聴中の放送番組が記録中である旨通知するようにしたが、放送記録装置２００に対して当該放送番組の記録を中止させるための記録中止通知を送信し、放送記録装置２００の制御部１０６は、前記記録中止通知に応答して、記憶部１０５に対する当該放送番組の記録を中止するように記憶部１０５を制御するように構成してもよい。
【産業上の利用可能性】
【００３５】
放送番組として、無線放送のみ成らず有線放送にも適用可能である。また、携帯通信端末として、携帯電話、ＰＨＳ、通信機能を有する携帯情報端末（ＰＤＡ）等、各種携帯通信端末に適用可能である。
【図面の簡単な説明】
【００３６】
【図１】本発明の実施の形態に係る情報記録システムのブロック図である。
【図２】本発明の実施の形態に係る放送記録装置の処理を示すフローチャートである。
【図３】本発明の実施の形態に係る携帯通信端末の処理を示すフローチャートである。
【符号の説明】
【００３７】
１００・・・放送記録装置
１０１・・・第１放送受信手段を構成する放送受信部
１０２・・・ネットワーク通信手段を構成するネットワーク通信部
１０３・・・第１出力手段を構成する表示部
１０４・・・第１入力手段を構成する入力部
１０５・・・第１記憶手段を構成する記憶部
１０６・・・第１制御手段を構成する制御部
２００・・・携帯通信端末
２０１・・・第２通信手段を構成する無線通信部
２０２・・・第２放送受信手段を構成する放送受信部
２０３・・・第２出力手段を構成する表示部
２０４・・・第２入力手段を構成する操作部
２０５・・・音声入出力手段を構成する音声処理部
２０６・・・音声出力手段を構成するスピーカ
２０７・・・第２記憶手段を構成するメモリ
２０８・・・第２制御手段を構成する制御部
３００・・・番組情報管理サーバ
【図１】
2007259167.tif 000003
【図２】
2007259167.tif 000004
【図３】
2007259167.tif 000005